(57)【特許請求の範囲】
【請求項１】
接合される一方の構造物に、その壁面において開口する多目的凹部を設け、該多目的凹部の上側内面を、その多目的凹部の奥部側に向かって上方に傾斜する面に形成し、この傾斜する面の上側内面の垂直面に対する傾斜角を７０°以内とし、接合される他方の構造物の材料を、前記多目的凹部内に充填するとともに表面が前記多目的凹部における開口部の上端近傍または上方に位置するように打設して他方の構造物を形成したことを特徴とする防草等を意図した構造物の構造。
【請求項２】
接合される一方の構造物に、その壁面において開口する多目的凹部を設け、該多目的凹部の上側内面および下側内面を、その多目的凹部の奥部側に向かって上方に傾斜する面に形成し、この傾斜する面の上側内面の垂直面に対する傾斜角を７０°以内とし、接合される他方の構造物の材料を、前記多目的凹部内に充填するとともに表面が前記多目的凹部における開口部の上端近傍または上方に位置するように打設して他方の構造物を形成したことを特徴とする防草等を意図した構造物の構造。
【請求項３】
接合される一方の構造物に、その壁面において開口する多目的凹部を設け、該多目的凹部の上側内面を、その多目的凹部の奥部側に向かって上方に傾斜する面に形成し、この傾斜する面の上側内面の垂直面に対する傾斜角を７０°以内とし、多目的凹部の下側内面を、その多目的凹部の奥部側に向かって下方に傾斜する面に形成し、この傾斜する面の下側内面の垂直面に対する傾斜角を７０°以内とし、接合される他方の構造物の材料を、前記多目的凹部内に充填するとともに表面が前記多目的凹部における開口部の上端近傍または上方に位置するように打設して他方の構造物を形成したことを特徴とする防草等を意図した構造物の構造。
【請求項４】
接合される一方の構造物に、その壁面において開口する多目的凹部を設け、該多目的凹部の上側内面および下側内面を、その多目的凹部の奥部側に向かって下方に傾斜する面に形成し、この傾斜する面の下側内面の垂直面に対する傾斜角を７０°以内とし、接合される他方の構造物の材料を、前記多目的凹部内に充填するとともに表面が前記多目的凹部における開口部の上端近傍または上方に位置するように打設して他方の構造物を形成したことを特徴とする防草等を意図した構造物の構造。
【請求項５】
前記一方の構造物の多目的凹部の内面の全部または一部を、壁面に沿った水平方向において凹凸の面に形成した請求項１乃至４のいずれかに記載の防草等を意図した構造物の構造。
【請求項６】
接合される一方の構造物に、該一方の構造物とは別体の防草板を、該防草板の一部が一方の構造物の壁面から外側へ突出し、防草板の他の部分が一方の構造物内に埋設され、かつ、該防草板が上下方向において傾斜させ、この傾斜を垂直面に対する傾斜角を７０°以内とした状態で設け、接合される他方の構造物の材料を、前記一方の構造物の壁面まで、かつ、表面が前記外側へ突出した防草板の上面近傍または上方に位置するように打設して他方の構造物を形成したことを特徴とする防草等を意図した構造物の構造。
【請求項７】
前記防草板を、前記壁面の外側に突出した部分を壁面から上方へ傾斜させ、この傾斜を垂直面に対する傾斜角を７０°以内とし、また壁面より内側の部分を壁面から下方へ傾斜させ、この傾斜を垂直面に対する傾斜角を７０°以内として設けた請求項６記載の防草等を意図した構造物の構造。
【請求項８】
前記防草板を、前記壁面の外側に突出した部分を壁面から下方へ傾斜させ、この傾斜を垂直面に対する傾斜角を７０°以内とし、また壁面より内側の部分を壁面から上方へ傾斜させ、この傾斜を垂直面に対する傾斜角を７０°以内として設けた請求項６記載の防草等を意図した構造物の構造。
【請求項９】
前記防草板を断面Ｘ状に形成し、その交点を中心として一方の側を構造物の壁面より突出させ、他方の側を一方の構造物の壁面内に埋設した請求項６記載の防草等を意図した構造物の構造。
【請求項１０】
前記防草板を断面Ｖ状に折曲形成し、その交点を中心として一方の側を一方の構造物の壁面より突出させ、他方の側を一方の構造物の壁面内に埋設した請求項６記載の防草等を意図した構造物の構造。
【請求項１１】
前記防草板の全面または一部の面が、一方の構造物の壁面に沿った水平方向において凹凸の面に形成されている請求項６乃至１０のいずれかに記載の防草等を意図した構造物の構造。
【請求項１２】
前記一方の構造物に、前記防草板を埋設するための嵌入溝を形成し、該嵌入溝に前記防草板を嵌入して埋設するようにした請求項６乃至１１のいずれかに記載の防草等を意図した構造物の構造。
【請求項１３】
壁面において開口する多目的凹部を設け、該多目的凹部の上側内面を、その多目的凹部の奥部側に向かって上方に傾斜する面に形成し、この傾斜する面の上側内面の垂直面に対する傾斜角を７０°以内としたことを特徴とする防草を意図した構造物。
【請求項１４】
壁面において開口する多目的凹部を設け、該多目的凹部の上側内面を、その多目的凹部の奥部側に向かって上方に傾斜する面に形成し、この傾斜する面の上側内面の垂直面に対する傾斜角を７０°以内とし、多目的凹部の下側内面を、その多目的凹部の奥部側に向かって下方に傾斜する面に形成し、この傾斜する面の下側内面の垂直面に対する傾斜角を７０°以内としたことを特徴とする防草を意図した構造物。
【請求項１５】
壁面において開口する多目的凹部を設け、該多目的凹部の上側内面および下側内面を、その多目的凹部の奥部側に向かって上方に傾斜する面に形成し、この傾斜する面の上側内面の垂直面に対する傾斜角を７０°以内としたことを特徴とする防草を意図した構造物。
【請求項１６】
壁面において開口する多目的凹部を設け、該多目的凹部の上側内面および下側内面を、その多目的凹部の奥部側に向かって下方に傾斜する面に形成し、この傾斜する面の下側内面の垂直面に対する傾斜角を７０°以内としたことを特徴とする防草を意図した構造物。
【請求項１７】
前記多目的凹部の内面の全部または一部を壁面に沿った水平方向において凹凸の面に形成した請求項１３乃至１６のいずれかに記載の防草を意図した構造物。
【請求項１８】
前記多目的凹部の上側内面の少なくとも開口側部分を、壁面に沿った水平方向において凹凸の面に形成した請求項１３乃至１６のいずれかに記載の防草を意図した構造物。
【請求項１９】
前記多目的凹部の内面における開口側部分と、奥部を、壁面に沿った水平方向において凹凸の面に形成した請求項１３乃至１６のいずれかに記載の防草を意図した構造物。
【請求項２０】
構造物本体とは別部材の防草板を構造物本体に、防草板の一部が構造物本体の壁面から外側へ突出し、防草板の他の部分が構造物本体内に埋設され、かつ、該防草板が上下方向において傾斜させ、この傾斜を垂直面に対する傾斜角を７０°以内とした状態で設けたことを特徴とする防草を意図した構造物。
【請求項２１】
前記防草板を、構造物本体の壁面から外側へ突出する側を外方に向かって上方に傾斜させ、この傾斜を垂直面に対する傾斜角を７０°以内とし、また壁面内に埋設される側を内方に向かって下方に傾斜させ、この傾斜を垂直面に対する傾斜角を７０°以内として設けた請求項２０記載の防草を意図した構造物。
【請求項２２】
前記防草板を、構造物本体の壁面から外側へ突出する側を外方に向かって下方に傾斜させ、この傾斜を垂直面に対する傾斜角を７０°以内とし、また壁面内に埋設される側を内方に向かって上方に傾斜させ、この傾斜を垂直面に対する傾斜角を７０°以内として設けた請求項２０記載の防草を意図した構造物。
【請求項２３】
前記防草板を、断面Ｘ状に形成し、その交点を中心として一方側を構造物本体の壁面より突出させ、他方側を壁面内に埋設して設けた請求項２０記載の防草を意図した構造物。
【請求項２４】
前記防草板を、断面Ｖ状に折曲形成し、その交点を中心として一方側を構造物本体の壁面より突出させ、他方側を壁面内に埋設して設けた請求項２０記載の防草を意図した構造物。
【請求項２５】
前記防草板の全面または一部の面を、構造物本体の壁面に沿った水平方向において凹凸の面に形成した請求項２０乃至２４のいずれかに記載の防草を意図した構造物。
【請求項２６】
前記凹凸の面を、前記防草板と前記壁面とが交差する部分および先端部の少なくとも一方に設けた請求項２５記載の防草を意図した構造物。
【請求項２７】
前記構造物が道路に設置されるブロックである請求項１３乃至２６のいずれかに記載の防草を意図した構造物。
【請求項２８】
接合される一方の構造物に、その壁面において開口する多目的凹部を設け、該多目的凹部の上側内面を、その多目的凹部の奥部側に向かって上方に傾斜する面に形成し、この傾斜する面の上側内面の垂直面に対する傾斜角を７０°以内とし、接合される他方の構造物の材料を、前記多目的凹部内に充填するとともに表面が前記多目的凹部における開口部の上端近傍または上方に位置するように打設して他方の構造物を形成することを特徴とする構造物の防草等の工法。
【請求項２９】
前記多目的凹部の内面の全面または一部の面を、壁面に沿った水平方向において凹凸の面に形成した請求項２８記載の構造物の防草等の工法。
【請求項３０】
接合される一方の構造物に、その壁面において開口する多目的凹部を設け、該多目的凹部の上側内面を、その多目的凹部の奥部側に向かって上方に傾斜する面に形成し、この傾斜する面の上側内面の垂直面に対する傾斜角を７０°以内とし、多目的凹部の下側内面を、その多目的凹部の奥部側に向かって下方に傾斜する面に形成し、この傾斜する面の下側内面の垂直面に対する傾斜角を７０°以内とし、接合される他方の構造物の材料を、前記多目的凹部内に充填するとともに表面が前記多目的凹部における開口部の上端近傍または上方に位置するように打設して他方の構造物を形成することを特徴とする構造物の防草等の工法。
【請求項３１】
前記多目的凹部の内面の全面または一部の面を、壁面に沿った水平方向において凹凸の面に形成した請求項３０記載の構造物の防草等の工法。
【請求項３２】
接合される一方の構造物に、該一方の構造物とは別体の防草板を、該防草板の一部が一方の構造物の壁面から外側へ突出し、防草板の他の部分が一方の構造物内に埋設され、かつ、該防草板が上下方向において傾斜させ、この傾斜を垂直面に対する傾斜角を７０°以内とした状態で設け、接合される他方の構造物の材料を、前記一方の構造物の壁面まで、かつ、表面が前記外側へ突出した防草板の上面と一方の構造物の壁面とが交差する近傍または突出した防草板の上面より上方に位置するように打設して他方の構造物を形成することを特徴とする構造物の防草等の工法。
【請求項３３】
前記防草板を、前記壁面の外側に突出した部分を壁面から上方へ傾斜させ、この傾斜を垂直面に対する傾斜角を７０°以内とし、また壁面より内側の部分を壁面から下方へ傾斜させ、この傾斜を垂直面に対する傾斜角を７０°以内として設けた請求項３２記載の構造物の防草等の工法。
【請求項３４】
前記防草板を、前記壁面の外側に突出した部分を壁面から下方へ傾斜させ、この傾斜を垂直面に対する傾斜角を７０°以内とし、また壁面より内側の部分を壁面から上方へ傾斜させ、この傾斜を垂直面に対する傾斜角を７０°以内として設けた請求項３２記載の構造物の防草等の工法。
【請求項３５】
前記防草板を断面Ｘ状に形成し、その交点を中心として一方の側を構造物の壁面より突出させ、他方の側を一方の構造物の壁面内に埋設した請求項３２記載の構造物の防草等の工法。
【請求項３６】
前記防草板を断面Ｖ状に折曲形成し、その交点を中心として一方の側を一方の構造物の壁面より突出させ、他方の側を一方の構造物の壁面内に埋設した請求項３２記載の構造物の防草等の工法。
【請求項３７】
前記防草板の全面または一部の面が、一方の構造物の壁面に沿った水平方向において凹凸の面に形成されている請求項３２乃至３６のいずれかに記載の構造物の防草等の工法。
【請求項３８】
前記一方の構造物に、前記防草板を埋設するための嵌入溝を形成し、該嵌入溝に前記防草板を嵌入して埋設するようにした請求項３２乃至３７のいずれかに記載の構造物の防草等の工法。
【発明の詳細な説明】
【技術分野】
【０００１】
本発明は防草等を意図した構造物の構造と防草を意図した構造物と構造物の防草等の工法に関する。
【背景技術】
【０００２】
従来、例えば、道路においては、車道と歩道や、車道と中央分離帯などの間の境界を仕切るコンクリート製の境界ブロック、例えば、縁石（一方の構造物）が設置されている。このような道路の施工は、養生、乾燥されたコンクリート製の境界ブロックの側面（壁面）に、現場打ち（打設）のコンクリートやアスファルトなどの流動体の舗装材（他方の構造物）を打設した後に乾燥硬化させて車道等を形成することから、経年により上記のコンクリートやアスファルトなどの舗装材が乾燥収縮し、このコンクリート製の境界ブロックと舗装材との境目に隙間が発生する。すなわち、境界ブロックの壁面と舗装材との間に垂直方向の隙間が発生する。
【０００３】
また同じような状況は、コンクリートの駆体（一方の構造物）と、打設コンクリート路面、同床面など（他方の構造物）とで形成される隙間においても同様な状況となる。
【０００４】
さらに同じ状況は、コンクリート相互間（一方・他方の構造物）の隙間（目地）、或いは各種の側溝、水路、フェンスブロック（ガードウォール）などのコンクリート構造物（一方の構造物）と、打設コンクリート路面、同床面など（他方の構造物）においても同様な状況となることから、その改良が望まれている。
【０００５】
尚、隙間の発生する他の例としては、インターロッキングブロック、ブロックなどの構造物相互間（一方・他方の構造物）の隙間（目地）においても考えられる。この目地の発生が、草の繁殖を許し問題となる。
【０００６】
上記のような垂直方向の隙間が発生すると、施工後において、飛来した雑草の種子が雨水の流れとともに上記の隙間に入る。そして、この隙間に入り込んだ種子が発芽すると、光合成により成長する性質から、その芽が屈光性により上記の隙間を通じて上方へ延び（背地性）、また、根は屈地性により逆に下方へ伸びて（向地性）成長し、繁殖する。尚、この根は、少なくとも略水平に伸びることは可能である。
【０００７】
このような草の繁殖を防止する方法として、従来、次のような構造が知られている。
【０００８】
例えば図５３に示すように、縁石１０１の背面部１０２と上面部１０３とが交わる隅部に、水平面１０４と垂直面１０５からなる溝状切欠き１０６を形成するとともに、水平面１０４に断面Ｖ字状の溝１０７を形成したものが知られている（例えば特許文献１参照）。
【０００９】
また、図５４に示すように、コンクリートブロック２０１の略垂直な前面２０２及び背面２０３の下部に切り欠き棚２０４，２０５を突出形成したものも知られている（例えば特許文献２参照）。
【００１０】
【特許文献１】実開昭６１−４０４０５号公報（実用新案登録請求の範囲、図７，８）
【特許文献２】特開平８−１１３９０６号公報（［００１４］、［００１５］、図３）
【発明の開示】
【発明が解決しようとする課題】
【００１１】
ところで、発芽した種子は、光合成により成長し、芽は上方へ伸び、根は下方へ伸びる。
【００１２】
前記図５３に示す従来の構造においては、（イ）の如く、飛来した種子が、乾燥収縮により開いた垂直面１０５部の隙間から下方に入って根付き、その根が下へ向かって伸びた場合に、その根が水平面１０４においてＶ字状の溝１０７まで水平に延びるが、そのＶ字状の溝１０７によって更に図５３（ロ）の右側へ伸びることが阻止される。
【００１３】
しかし、根は略水平には伸びることができるので、前記水平面１０４において縁石１０１の軸方向（図の紙面の表裏方向）への伸びは阻止できない。従って、雑草の成長を、阻止できず問題を残すと考えられる。
【００１４】
また、図５４（イ）に示す従来の構造においても、略垂直な前面２０２及び背面２０３に乾燥により隙間２０６，２０７が生じ、この隙間に種子が入り込んで根付き、単に外側へ突出する切り欠き棚２０４，２０５を設けたのみであるため、前記と同様に、根が切り欠き棚２０４，２０５の表面において、紙面の表裏方向への伸びに対しては、根の成長を阻止できないと考えられる。尚、図５４（ロ）に示す従来の構造においても、前記切り欠き棚２０４，２０５に代替して、突出棚２０５ａを設けた例が開示されている。しかし、この突出棚２０５ａは、突端の形状であり、根の芽の上方への誘導面になり得る可能性があり、新たな問題が発生すると考えられる。
【００１５】
そこで本発明は、前記のブロック等の構造物相互間の接合部において、飛来した種子の根の成長及び施工前に残存していた根の芽の成長を確実に防止すること、また何れの構造も、防草凹部の先端形態を、曲面周辺部を備えた迂回形態とし、根の成長及び施工前に残存していた根の芽の成長を確実に防止できる防草等を意図した構造物の構造と防草を意図した構造物と構造物の防草等の工法を提供することなどを目的とする。
【００１６】
また本発明が、最も特徴とすることは、構造物などに形成された目地が存在しても、防草凹部の形状が、根の芽の屈地性を阻害する機能があり、この機能を利用した画期的な防草等を意図した構造物の構造、防草を意図した構造物又は構造物の防草等の工法を提供する。
【課題を解決するための手段】
【００１７】
前記の課題を解決するために、請求項１記載の第１の発明は、接合される一方の構造物に、その壁面において開口する多目的凹部（防草用、緊結用、必要により遮水用等の凹部、以下、防草用凹部とする）を設け、該防草用凹部の上側内面を、その防草用凹部の奥部側に向かって上方に傾斜する面に形成し、この傾斜する面の上側内面の垂直面に対する傾斜角を７０°以内とし、接合される他方の構造物の材料を、前記防草用凹部内に充填するとともに表面が前記防草用凹部における開口部の上端近傍または上方に位置するように打設して他方の構造物を形成したことを特徴とする防草等を意図した構造物の構造である。
【００１８】
請求項２記載の第２の発明は、接合される一方の構造物に、その壁面において開口する防草用凹部を設け、該防草用凹部の上側内面および下側内面を、その防草用凹部の奥部側に向かって上方に傾斜する面に形成し、この傾斜する面の上側内面の垂直面に対する傾斜角を７０°以内とし、接合される他方の構造物の材料を、前記防草用凹部内に充填するとともに表面が前記防草用凹部における開口部の上端近傍または上方に位置するように打設して他方の構造物を形成したことを特徴とする防草等を意図した構造物の構造である。
【００１９】
請求項３記載の第３の発明は、接合される一方の構造物に、その壁面において開口する防草用凹部を設け、該防草用凹部の上側内面を、その防草用凹部の奥部側に向かって上方に傾斜する面に形成し、この傾斜する面の上側内面の垂直面に対する傾斜角を７０°以内とし、防草用凹部の下側内面を、その防草用凹部の奥部側に向かって下方に傾斜する面に形成し、この傾斜する面の下側内面の垂直面に対する傾斜角を７０°以内とし、接合される他方の構造物の材料を、前記防草用凹部内に充填するとともに表面が前記防草用凹部における開口部の上端近傍または上方に位置するように打設して他方の構造物を形成したことを特徴とする防草等を意図した構造物の構造である。
【００２０】
請求項４記載の第４の発明は、接合される一方の構造物に、その壁面において開口する防草用凹部を設け、該防草用凹部の上側内面および下側内面を、その防草用凹部の奥部側に向かって下方に傾斜する面に形成し、この傾斜する面の下側内面の垂直面に対する傾斜角を７０°以内とし、接合される他方の構造物の材料を、前記防草用凹部内に充填するとともに表面が前記防草用凹部における開口部の上端近傍または上方に位置するように打設して他方の構造物を形成したことを特徴とする防草等を意図した構造物の構造である。
【００２１】
請求項５記載の第５の発明は、前記第１乃至第４のいずれかの発明において、前記一方の構造物の防草用凹部の内面の全部または一部を、壁面に沿った水平方向において凹凸の面に形成した防草等を意図した構造物の構造である。
【００２２】
【００２３】
【００２４】
【００２５】
【００２６】
請求項６記載の第６の発明は、接合される一方の構造物に、該一方の構造物とは別体の防草板を、該防草板の一部が一方の構造物の壁面から外側へ突出し、防草板の他の部分が一方の構造物内に埋設され、かつ、該防草板が上下方向において傾斜させ、この傾斜を垂直面に対する傾斜角を７０°以内とした状態で設け、接合される他方の構造物の材料を、前記一方の構造物の壁面まで、かつ、表面が前記外側へ突出した防草板の上面近傍または上方に位置するように打設して他方の構造物を形成したことを特徴とする防草等を意図した構造物の構造である。
【００２７】
請求項７記載の第７の発明は、前記第６の発明において、前記防草板を、前記壁面の外側に突出した部分を壁面から上方へ傾斜させ、この傾斜を垂直面に対する傾斜角を７０°以内とし、また壁面より内側の部分を壁面から下方へ傾斜させ、この傾斜を垂直面に対する傾斜角を７０°以内として設けた防草等を意図した構造物の構造である。
【００２８】
請求項８記載の第８の発明は、前記第６の発明において、前記防草板を、前記壁面の外側に突出した部分を壁面から下方へ傾斜させ、この傾斜を垂直面に対する傾斜角を７０°以内とし、また壁面より内側の部分を壁面から上方へ傾斜させ、この傾斜を垂直面に対する傾斜角を７０°以内として設けた防草等を意図した構造物の構造である。
【００２９】
請求項９記載の第９の発明は、前記第６の発明において、前記防草板を断面Ｘ状に形成し、その交点を中心として一方の側を構造物の壁面より突出させ、他方の側を一方の構造物の壁面内に埋設した防草等を意図した構造物の構造である。
【００３０】
請求項１０記載の第１０の発明は、前記第６の発明において、前記防草板を断面Ｖ状に折曲形成し、その交点を中心として一方の側を一方の構造物の壁面より突出させ、他方の側を一方の構造物の壁面内に埋設した防草等を意図した構造物の構造である。
【００３１】
請求項１１記載の第１１の発明は、前記第６乃至１０のいずれかの発明において、前記防草板の全面または一部の面が、一方の構造物の壁面に沿った水平方向において凹凸の面に形成されている防草等を意図した構造物の構造である。
【００３２】
請求項１２記載の第１２の発明は、前記第６乃至１１のいずれかの発明において、前記一方の構造物に、前記防草板を埋設するための嵌入溝を形成し、該嵌入溝に前記防草板を嵌入して埋設するようにした防草等を意図した構造物の構造である。
【００３３】
請求項１３記載の第１３の発明は、壁面において開口する防草用凹部を設け、該防草用凹部の上側内面を、その防草用凹部の奥部側に向かって上方に傾斜する面に形成し、この傾斜する面の上側内面の垂直面に対する傾斜角を７０°以内としたことを特徴とする防草を意図した構造物である。
【００３４】
請求項１４記載の第１４の発明は、壁面において開口する防草用凹部を設け、該防草用凹部の上側内面を、その防草用凹部の奥部側に向かって上方に傾斜する面に形成し、この傾斜する面の上側内面の垂直面に対する傾斜角を７０°以内とし、防草用凹部の下側内面を、その防草用凹部の奥部側に向かって下方に傾斜する面に形成し、この傾斜する面の下側内面の垂直面に対する傾斜角を７０°以内としたことを特徴とする防草を意図した構造物である。
【００３５】
請求項１５記載の第１５の発明は、壁面において開口する防草用凹部を設け、該防草用凹部の上側内面および下側内面を、その防草用凹部の奥部側に向かって上方に傾斜する面に形成し、この傾斜する面の上側内面の垂直面に対する傾斜角を７０°以内としたことを特徴とする防草を意図した構造物である。
【００３６】
請求項１６記載の第１６の発明は、壁面において開口する防草用凹部を設け、該防草用凹部の上側内面および下側内面を、その防草用凹部の奥部側に向かって下方に傾斜する面に形成し、この傾斜する面の下側内面の垂直面に対する傾斜角を７０°以内としたことを特徴とする防草を意図した構造物である。
【００３７】
請求項１７記載の第１７の発明は、前記第１３乃至１６のいずれかの発明において、前記防草用凹部の内面の全部または一部を壁面に沿った水平方向において凹凸の面に形成した防草を意図した構造物である。
【００３８】
請求項１８記載の第１８の発明は、前記第１３乃至１６のいずれかの発明において、前記防草用凹部の上側内面の少なくとも開口側部分を、壁面に沿った水平方向において凹凸の面に形成した防草を意図した構造物である。
【００３９】
請求項１９記載の第１９の発明は、前記第１３乃至１６のいずれかの発明において、前記防草用凹部の内面における開口側部分と、奥部を、壁面に沿った水平方向において凹凸の面に形成した防草を意図した構造物である。
【００４０】
【００４１】
【００４２】
【００４３】
【００４４】
【００４５】
【００４６】
【００４７】
【００４８】
【００４９】
請求項２０記載の第２０の発明は、構造物本体とは別部材の防草板を構造物本体に、防草板の一部が構造物本体の壁面から外側へ突出し、防草板の他の部分が構造物本体内に埋設され、かつ、該防草板が上下方向において傾斜させ、この傾斜を垂直面に対する傾斜角を７０°以内とした状態で設けたことを特徴とする防草を意図した構造物である。
【００５０】
請求項２１記載の第２１の発明は、前記第２０の発明において、前記防草板を、構造物本体の壁面から外側へ突出する側を外方に向かって上方に傾斜させ、この傾斜を垂直面に対する傾斜角を７０°以内とし、また壁面内に埋設される側を内方に向かって下方に傾斜させ、この傾斜を垂直面に対する傾斜角を７０°以内として設けた防草を意図した構造物である。
【００５１】
請求項２２記載の第２２の発明は、前記第２０の発明において、前記防草板を、構造物本体の壁面から外側へ突出する側を外方に向かって下方に傾斜させ、この傾斜を垂直面に対する傾斜角を７０°以内とし、また壁面内に埋設される側を内方に向かって上方に傾斜させ、この傾斜を垂直面に対する傾斜角を７０°以内として設けた防草を意図した構造物である。 
請求項２３記載の第２３の発明は、前記第２０の発明において、前記防草板を、断面Ｘ状に形成し、その交点を中心として一方側を構造物本体の壁面より突出させ、他方側を壁面内に埋設して設けた防草を意図した構造物である。
【００５２】
請求項２４記載の第２４の発明は、前記第２０の発明において、前記防草板を、断面Ｖ状に折曲形成し、その交点を中心として一方側を構造物本体の壁面より突出させ、他方側を壁面内に埋設して設けた防草を意図した構造物である。
である。
【００５３】
請求項２５記載の第２５の発明は、前記第２０乃至２４のいずれかの発明において、前記防草板の全面または一部の面を、構造物本体の壁面に沿った水平方向において凹凸の面に形成した防草を意図した構造物である。
【００５４】
請求項２６記載の第２６の発明は、前記第２５の発明において、前記凹凸の面を、前記防草板と前記壁面とが交差する部分および先端部の少なくとも一方に設けた防草を意図した構造物である。
【００５５】
請求項２７記載の第２７の発明は、前記第１３乃至２６のいずれかの発明において、前記構造物が道路に設置されるブロックである防草を意図した構造物である。
【００５６】
請求項２８記載の第２８の発明は、接合される一方の構造物に、その壁面において開口する防草用凹部を設け、該防草用凹部の上側内面を、その防草用凹部の奥部側に向かって上方に傾斜する面に形成し、この傾斜する面の上側内面の垂直面に対する傾斜角を７０°以内とし、接合される他方の構造物の材料を、前記防草用凹部内に充填するとともに表面が前記防草用凹部における開口部の上端近傍または上方に位置するように打設して他方の構造物を形成することを特徴とする構造物の防草等の工法である。 
請求項２９記載の第２９の発明は、前記第２８の発明において、前記防草用凹部の内面の全面または一部の面を、壁面に沿った水平方向において凹凸の面に形成した構造物の防草等の工法である。
【００５７】
請求項３０記載の第３０の発明は、接合される一方の構造物に、その壁面において開口する防草用凹部を設け、該防草用凹部の上側内面を、その防草用凹部の奥部側に向かって上方に傾斜する面に形成し、この傾斜する面の上側内面の垂直面に対する傾斜角を７０°以内とし、防草用凹部の下側内面を、その防草用凹部の奥部側に向かって下方に傾斜する面に形成し、この傾斜する面の下側内面の垂直面に対する傾斜角を７０°以内とし、接合される他方の構造物の材料を、前記防草用凹部内に充填するとともに表面が前記防草用凹部における開口部の上端近傍または上方に位置するように打設して他方の構造物を形成することを特徴とする構造物の防草等の工法である。 
請求項３１記載の第３１の発明は、前記第３０の発明において、前記防草用凹部の内面の全面または一部の面を、壁面に沿った水平方向において凹凸の面に形成した構造物の防草等の工法である。
【００５８】
【００５９】
【００６０】
【００６１】
【００６２】
請求項３２記載の第３２の発明は、接合される一方の構造物に、該一方の構造物とは別体の防草板を、該防草板の一部が一方の構造物の壁面から外側へ突出し、防草板の他の部分が一方の構造物内に埋設され、かつ、該防草板が上下方向において傾斜させ、この傾斜を垂直面に対する傾斜角を７０°以内とした状態で設け、接合される他方の構造物の材料を、前記一方の構造物の壁面まで、かつ、表面が前記外側へ突出した防草板の上面と一方の構造物の壁面とが交差する近傍または突出した防草板の上面より上方に位置するように打設して他方の構造物を形成することを特徴とする構造物の防草等の工法である。
【００６３】
請求項３３記載の第３３の発明は、前記第３２の発明において、前記防草板を、前記壁面の外側に突出した部分を壁面から上方へ傾斜させ、この傾斜を垂直面に対する傾斜角を７０°以内とし、また壁面より内側の部分を壁面から下方へ傾斜させ、この傾斜を垂直面に対する傾斜角を７０°以内として設けた構造物の防草等の工法である。
【００６４】
請求項３４記載の第３４の発明は、前記第３２の発明において、前記防草板を、前記壁面の外側に突出した部分を壁面から下方へ傾斜させ、この傾斜を垂直面に対する傾斜角を７０°以内とし、また壁面より内側の部分を壁面から上方へ傾斜させ、この傾斜を垂直面に対する傾斜角を７０°以内として設けた構造物の防草等の工法である。
【００６５】
請求項３５記載の第３５の発明は、前記第３２の発明において、前記防草板を断面Ｘ状に形成し、その交点を中心として一方の側を構造物の壁面より突出させ、他方の側を一方の構造物の壁面内に埋設した構造物の防草等の工法である。
【００６６】
請求項３６記載の第３６の発明は、前記第３２の発明において、前記防草板を断面Ｖ状に折曲形成し、その交点を中心として一方の側を一方の構造物の壁面より突出させ、他方の側を一方の構造物の壁面内に埋設した構造物の防草等の工法である。
【００６７】
請求項３７記載の第３７の発明は、前記第３２乃至３６のいずれかの発明において、前記防草板の全面または一部の面が、一方の構造物の壁面に沿った水平方向において凹凸の面に形成されている構造物の防草等の工法である。
【００６８】
請求項３８記載の第３８の発明は、前記第３２乃至３７のいずれかの発明において、前記一方の構造物に、前記防草板を埋設するための嵌入溝を形成し、該嵌入溝に前記防草板を嵌入して埋設するようにした構造物の防草等の工法である。
【発明の効果】
【００６９】
以上のようであるから、請求項１乃至５記載の発明によれば、一方の構造物における防草用凹部の開口部の上端近傍に他方の構造物の表面を位置させることにより、両構造物の目地部に飛来した種子は、雨水により除去される。したがって、種子が発芽して根付くことを防止できる。
【００７０】
また、仮に前記の種子が発芽して根が伸びた場合には、防草用凹部の上側内面または下側内面の上方に向かう傾斜により、その根の伸びが阻止される。更に、構造物の下部に残存する根が発芽した場合には上側内面または下側内面の下方に向かう傾斜面によりその芽が伸びることを阻止できる。したがって、防草効果を発揮することができる。
【００７１】
請求項３記載の発明によれば、前記の根から発芽した芽の伸びが、奥部側に向かって下方に傾斜する下側内面によって阻止され、一層の防草効果を発揮できる。
【００７２】
請求項６乃至１２記載の発明によれば、防草板により防草効果を発揮することができる。また、凹凸の面を形成したものによれば、一層防草効果を発揮する。
【００７３】
請求項１３乃至１６記載の発明によれば、前記の防草等を意図した構造物の構造に適用して前記の効果を発揮する防草を意図した構造物を提供できる。
【００７４】
請求項１７乃至１９記載の発明によれば、防草用凹部の内面を、水平方向において凹凸の面に形成したことにより、前記の根及び芽の水平方向への伸びを阻止し、より確実な防草効果を発揮することができる。
【００７５】
請求項２０乃至２４記載の発明によれば、防草板又は防草突部により、前記の防草効果を発揮する防草を意図した構造物を提供することができる。
【００７６】
請求項２５及び２６記載の発明によれば、更に、凹凸の面によって、より確実な防草効果を発揮することできる。
【００７７】
請求項２７記載の発明によれば、前記の効果を発揮するブロックを提供できる。
【００７８】
請求項２８乃至３８記載の発明によれば、前記の防草効果を発揮する構造物の防草等の工法を提供できる。
【発明を実施するための最良の形態】
【００７９】
本発明の好ましい実施の形態を図１乃至図４５に示す実施例に基づいて説明する。
【００８０】
図１乃至図３は本発明を、構造物である境界ブロックに適用した第１実施例を示し、図１R>１は防草等を意図した構造物の構造を有する境界ブロック（構造物）の側面図、図２は図１R>１に示すブロックをＡ−Ａ線で切断した斜視図、図３は図１のブロックを車道と歩道との境界に設置して舗装した状態を示す断面図である。
【００８１】
接合される一方の構造物である、又はベース付きのブロック、境界ブロック１(各種のブロックなど)は、コンクリートにより横断面が図２及び図３に示すように縦長の長方形で、かつ、該境界ブロック１の軸方向（図１のＸ−Ｘ方向）が図１に示すように所定の長さを有する長方形に形成されている。また、前後の壁面（側面）１ａ，１ｂは略垂直面に形成され、左右の壁面（両端面）１ｃ，１ｄも略垂直面に形成されている。該境界ブロック１は、例えば工場において成形、養生、硬化されたプレキャストコンクリート製或いは樹脂入りコンクリート製とする。
【００８２】
上記境界ブロック１の一方の壁面（側面）１ａには一条〜数条の第１の防草用凹部２が形成され、他方の壁面（側面）１ｂには一条〜数条の第２の防草用凹部３が形成されている。これら両防草用凹部２，３は境界ブロック１の長手方向の一端面１ｃ（壁面）から他端面（壁面）１ｄまでの全長にわたって形成されている。
【００８３】
上記第１の防草用凹部２の上側内面２ａは、該防草用凹部２の壁面側開口部２ｂの上端２ｃから奥部側に向かって上方に傾斜する傾斜面に形成され、下側内面２ｄは、上記上側内面２ａの上端（奥端）２ｅから壁面側開口部２ｂの下端２ｆに向かって下降する傾斜面に形成されている。すなわち、防草用凹部２の上側内面２ａと下側内面２ｄが、その奥部側に向かって上方に傾斜している。上記上側内面２ａの垂直面に対する傾斜角θは７０°以内が好ましい。そして、この第１の防草用凹部２の方向性は、上方に傾斜する傾斜面と、図示しないが下方に傾斜する傾斜面も可能である(他の例も同じ)。
【００８４】
上記他方の壁面（側面）１ｂに形成された第２の防草用凹部３も上記第１の防草用凹部２と同様の形状に形成されている。そのため、該第２の防草用凹部３の説明は省略する。
【００８５】
上記両防草用凹部２，３は、境界ブロック１を型成形する際に、防草用凹部２，３の成形型を用いて同時に成形してもよく、また、防草用凹部２，３が形成されていない境界ブロック１を成形した後に、両防草用凹部２，３を、工場あるいは現場に設置した状態でカッター等で切削形成してもよい。
【００８６】
本第１実施例は、道路の車道と歩道との境界に設置する境界ブロックの例を示すもので、境界ブロック１の一方の壁面１ａ側にコンクリートやアスファルトなどの車道用の舗装材（構造物の材料）４を打設し、境界ブロック１の他方の壁面１ｂ側にコンクリートやアスファルトなどの歩道用の舗装材（構造物の材料）５を打設する例である。この舗装材４，５は、施工時には流動体であって、施工後に乾燥硬化し、他方の構造物を形成するものである。
【００８７】
この両防草用凹部２，３に舗装材４，５が充填されることで、例えば、境界ブロック１と舗装材４，５の連繋が図れること、また両者の連結強度の向上、また亀裂防止、或いは沈下防止等に役立つことが考えられる（以下、同じ）。また遮水防止等においても幾分効果が上がることも考えられる。
【００８８】
また、車道側に位置する第１の防草用凹部２は、歩道側に位置する第１の防草用凹部３よりも上方に位置して設けられているが、本発明はこの位置関係に特定するものではなく、これらの上下関係は所望に設定するものである。
【００８９】
次に、上記の境界ブロック１を使用して車道と歩道を施工する方法と施工された状態の防草等を意図した構造物の構造を説明する。なお、この施工の方法は、構造物の防草等の工法でもあり、また、道路の施工方法でもある。
【００９０】
先ず、施工される車道と歩道との境界部に境界ブロック１を多数個直列的に配置する。
【００９１】
次に、車道側の舗装材４を、図３に示すように、境界ブロック１の一方の壁面１ａ側に、その一方の壁面１ａまで打設する。また、この打設時において、その舗装材４を第１の防草用凹部２内に充満されるように充填し、この充填された舗装材４ａと車道を形成する舗装材４とは継ぎ目が生じないように一体に打設する。
【００９２】
また、上記舗装材４は、図３に示すように、その表面４ｂが上記第１の防草用凹部２における壁面側開口部２ｂの上端２ｃの近傍に位置する高さとなっている。しかし、この舗装材４は、壁面側開口部２ｂの上端より上方に位置する高さに打設して、壁面側開口部２ｂの上端２ｃの近傍に位置する高さが、防草効果があり望ましい(図せず。尚、他の例も同じ)。
【００９３】
また、歩道側の舗装材５を境界ブロック１の他方の壁面１ｂ側に、上記車道側の舗装材４と同様に図３に示すように打設する。
【００９４】
上記のように施工された状態における防草作用について説明する。
【００９５】
なお、舗装材４が、図３に示すように、壁面側開口部２ｂの上端近傍の高さまで打設された場合について説明する。
【００９６】
図３に示す防草等を意図した構造物の構造において、施工後、経年により車道側の舗装材４とともに第１の防草用凹部２内の舗装材４ａが乾燥収縮すると、該舗装材４ａと第１の防草用凹部２の上側内面２ａ及び下側内面２ｄとの間に、僅かであるが、不規則な隙間７，８が発生する。
【００９７】
このように隙間７，８が生じた状態で、草の種子が飛来して、第１の防草用凹部２の壁面側開口部２ｂにおける上端２ｃ部、すなわち、隙間７の入口部に入った場合には、その種子は舗装材（他方の構造物）４の表面近くに位置するため、根付く前に雨水により流れ除去され、その種子が発芽することがない。
【００９８】
また、仮に前記の側面開口部２ｂにおける上端２ｃ部に飛来付着した種子が発芽して、その根が成長し始めた場合には隙間７が根の誘導路になって、根が隙間７に沿って成長しなければならない。しかし、この隙間７（誘導路）は壁面側開口部２ｂの上端２ｃから奥に向かって上方に傾斜しているため、根が上方へは伸びない性質（向地性）であることから、その根の伸びが阻止される。したがって、上記飛来した種子の成長が防止され、自然に枯れる。
【００９９】
また、施工時に、前記壁面側開口部２ｂの下端２ｆよりも下に草の根が残存していた場合には、その根から発芽した芽は上記隙間８を通じて伸びるが、隙間８の上端２ｅ、すなわち、防草用凹部２の奥部に達した後は、隙間７に入らなければならない。しかし、この隙間７は、その上端２ｅから下方へ傾斜しているため、芽が下方へは伸びない性質（背地性）であるから、その芽の伸びは隙間７の誘導路の部分で阻止される。したがって、上記の根からの芽が外部へ出て草に成長することが防止される。
【０１００】
また、歩道側の舗装材５と境界ブロック１の間においても上記と同様に防草作用がなされる。
【０１０１】
なお、舗装材４の打設後の乾燥収縮を考慮して、その舗装材４を、その表面４ｂが壁面側開口部２ｂの上端２ｃよりも上方に位置するように打設してもよい。このような場合でも、前記根と芽の伸びは、前記のように防草用凹部２によって阻止される。
【０１０２】
図４及び図５は第２実施例を示す。
【０１０３】
本第２実施例は、上記第１実施例における第１の防草用凹部２と第２の防草用凹部３を、奥側が拡開する鳩尾状断面に形成した境界ブロック（構造物）１Ａとし、この境界ブロック１Ａを用いて上記のように施工する例を示す。
【０１０４】
すなわち、第１の防草用凹部２Ａを、上記と同様に、一方の壁面１ａに形成した壁面側開口部２ｂの上端２ｃから奥部側へ向かって上方へ傾斜する上側内面２ａと、該上側内面２ａの上端２ｅから略垂直に下降する奥面２ｇと、該奥面２ｇの下端２ｈから一方の壁面１ａに向かって上方に傾斜する下側内面２ｉとで形成し、下側内面２ｉの上端を壁面側開口部２ｂの下端２ｆとしたものである。
【０１０５】
すなわち、防草用凹部２Ａの上側内面２ａを、その奥部側に向かって上方に傾斜する面に形成し、下側内面２ｄを、その奥部側に向かって下方に傾斜する面に形成したものである。
【０１０６】
また、境界ブロック１Ａの他方の壁面１ｂにも、上記第１の防草用凹部２Ａと同様の、奥側が拡開する鳩尾状断面の第２の防草用凹部３Ａが形成されている。
【０１０７】
その他の構造は前記第１実施例の境界ブロック１と同様である。
【０１０８】
本第２実施例の施工方法（構造物の防草等の工法）は、境界ブロック１Ａを前記第１実施例と同様に、施工される車道と歩道との境界部に配置し、車道側の舗装材４を、境界ブロック１Ａの一方の壁面１ａ側に、その一方の壁面１ａまで打設する。また、この打設時において、その舗装材４を第１の防草用凹部２Ａ内に充満されるように充填し、この充填された舗装材４ａと車道を形成する舗装材４とに継ぎ目が生じないように打設する。
【０１０９】
また、舗装材４は図５に示すように、その表面４ｂが上記第１の防草用凹部２Ａにおける開口部２ｂの上端２ｃの近傍に位置する高さまたは上端２ｃより上方まで打設する。この打設された舗装材４が他方の構造物になる。
【０１１０】
また、歩道側の舗装材５を境界ブロック１Ａの他方の壁面１ｂ側に、上記車道側の舗装材４と同様に図５に示すように打設する。
【０１１１】
上記のように施工された状態における防草作用について説明する。
【０１１２】
図５示す構造において、施工後、経年により車道側の舗装材４（構造物）とともに第１の防草用凹部２Ａ内の舗装材４ａが乾燥収縮すると、該舗装材４ａと第１の防草用凹部２Ａの上側内面２ａ及び下側内面２ｉ及び奥面２ｇとの間に隙間７，９，１０が発生する。
【０１１３】
このように隙間が生じた状態で、草の種子が飛来して、第１の防草用凹部２Ａの壁面側開口部２ｂにおける上端２ｃ部、すなわち、隙間７の入口部に入った場合には、前記第1実施例と同様に雨水により流れ除去され、その種子が発芽することがない。
【０１１４】
また、仮に、飛来した上記の種子が発芽して、その根が成長し始めた場合には、上記と同様に傾斜した隙間７によって根の伸びが阻止される。 
また、施工時に、上記壁面側開口部２ｂの下端２ｆよりも下に草の根が残存していた場合には、隙間９が芽の誘導路になり、かつ、この隙間９が奥部に向かって下方に傾斜しているため、芽が下方へは伸びない性質から、隙間９によって芽の伸びが阻止される。したがって、上記根からの芽が外部へ出て草に成長することが防止される。
【０１１５】
また、歩道側の舗装材５と境界ブロック１Ａの間においても上記と同様に防草作用がなされる。
【０１１６】
また、前記第１実施例と同様に、本第２実施例においても舗装材４を、その表面が壁面側開口部２ｂの上端２ｃよりも上方に位置するように打設してもよい。
【０１１７】
図６及び図７は第３実施例を示す。
【０１１８】
本第３実施例の境界ブロック（構造物）１Ｂは、前記第２実施例における第１の防草用凹部２Ａの奥面２ｇを上下方向において屈曲させて防草用凹部２Ｂとしたものである。図の例では防草用凹部２Ｂの横断面形状を略ハート型に形成した。また、本第３実施例においては境界ブロック１Ｂの一方の壁面１ａにのみ防草用凹部３Ａを設け、他方の壁面１ｂには防草用凹部は設けられていないが、他方の壁面１ｂにも上記の防草用凹部２Ｂを設けてもよい。
【０１１９】
その他の構造と施工方法（構造物の防草等の工法）は前記第２実施例と同様であるため、前記と同一部分には同一符号を付してその説明を省略する。
【０１２０】
本第３実施例においても前記第２実施例と同様の効果を発揮する。
【０１２１】
図８及び図９は第４実施例を示す。
【０１２２】
本第４実施例に示す境界ブロック（構造物）１Ｃは、前記防草用凹部を、横断面形状が円形の防草用凹部２Ｃとしたものである。すなわち、横断面形状を、円形に形成するとともに、その円形の直径より短い幅の一部を境界ブロック１Ｃの一方の壁面１ａに開口して、壁面側開口部２ｂを形成したものである。これにより、壁面側開口部２ｂの上端２ｃから奥部に向かって上方に傾斜する上側内面２ｊと、壁面側開口部２ｂの下端２ｆから奥部に向かって下方に傾斜する下側内面２ｋが形成されている。
【０１２３】
また、境界ブロック１Ｃの他方の壁面１ｂにも上記の防草用凹部２Ｃと同形状の防草用凹部を形成してもよい。
【０１２４】
その他の構造と施工方法（構造物の防草等の工法）は前記第１実施例と同様であるため、同一部分には前記と同一の符号を付してその説明を省略する。
【０１２５】
本第４実施例においては、その防草用凹部２Ｃにおける上側内面２ｊが前記第２実施例における上側内面２ａと同様に傾斜し、下側内面２ｋが前記第２実施例における下側内面２ｉと同様に傾斜しているため、本第４実施例においても前記第２実施例と同様の効果を発揮する。
【０１２６】
図１０及び図１１は第５実施例を示す。
【０１２７】
本第５実施例は、前記第２実施例の防草用凹部２Ａの変形例で、境界ブロック（構造物）１Ｄの一方の壁面１ａに壁面側開口部２ｂを形成し、該側面開口部２ｂの上端２ｃから奥方へ略水平に入る内面２ｍと、該内面２ｍの奥部において略垂直或いは若干傾斜して上る上側内面２ｎと、該面２ｎの上端から奥へ向かう面２ｐと、該面の奥端から略垂直に下る奥面２ｑと、該奥面２ｑの下端から略水平に前側方向に向かう面２ｒと、該面２ｒの前側端から略垂直或いは傾斜して上る下側内面２ｓと、該面２ｓの上端から前方に向かう内面２ｔとで防草用凹部２Ｄが形成され、前記の内面２ｔの前端が壁面側開口部２ｂの下端２ｆとなっている。
【０１２８】
その他の構造と施工方法（構造物の防草等の工法）は前記実施例と同様であるので、前記と同一部分には前記と同一の符号を付してその説明を省略する。
【０１２９】
本第５実施例においては、壁面側開口部２ｂの上端２ｃ付近に草の種子が飛来した場合には、前記と同様に雨水により除去される。また、仮に根が伸びても奥部に向かって上方へ傾斜する上側内面２ｎにより伸びが阻止され、成長が阻止されて自然に枯れる。
【０１３０】
また、舗装前に残存していた草の根から発芽した芽は、面２ｔまで達するが、奥部に向かって下方へ傾斜した下側内面２ｓによってそれ以上の伸びが阻止され、成長が防止されて自然に枯れる。
【０１３１】
図１２乃至図１４は第６実施例を示す。
【０１３２】
本第６実施例の境界ブロック（構造物）１Ｅは、前記第１実施例（図１乃至図３）における境界ブロック１に形成した両防草用凹部２，３の上側内面２ａと上端（奥部）２ｅと下側内面２ｄの全面にわたって、境界ブロック１の壁面１ａに沿った水平方向において凹凸の面（凹凸面）を形成した境界ブロック１Ｅである。
【０１３３】
すなわち、防草用凹部２，３の前端から奥部へ向かう突条３０を、境界ブロック１Ｅの軸方向であるＸ−Ｘ方向（水平方向）に適宜間隔を有して複数形成し、水平方向において突条３０と溝条３１を交互に形成し、防草用凹部２の内面を水平方向（Ｘ−Ｘ方向）に凹凸の面に形成したものである。この突条３０と溝３１の断面は図のように三角形状でもよく、また半円形でもよく、更には方形状でもよい。
【０１３４】
なお、上記の突条３０と溝状３１からなる凹凸の面は、図の例では防草用凹部２の全面に設けたが、上側内面２ａの開口側部分（上側内面２ａの前半部分）のみ或いはこの前半部分と上側内面２ａの奥部上端２ｅ部のみなど所望の位置に部分的に設けてもよい。
【０１３５】
その他の構造と施工方法（構造物の防草等の工法）は前記第１実施例と同様であるため、前記と同一部分には前記と同一の符号を付してその説明を省略する。
【０１３６】
本第６実施例においても図１３に示すように、舗装材４を防草用凹部２内に充填するとともに、表面４ｂが前記上端２ｃ側の溝条３１の底部２ｃ′近傍に位置するように打設するか或いは図１３の鎖線で示すように、底部２ｃ′よりも高い位置４ｂ′まで打設する。この舗装材４ａが防草用凹部２内に充填されると、この舗装材４ａは、図１４に示すように、前記突条３０、溝条３１に接して凹凸の面に形成される。
【０１３７】
本第６実施例において、舗装材４を、図１３の符号４ｂの位置まで打設した場合には、防草用凹部２の上端、すなわち、溝条３１の底部２ｃ′に飛来した種子は前記第１実施例と同様に雨水で除去されるが、仮にその種子が伸びた場合には、境界ブロック１Ｅの奥部の伸びは上方へ傾斜する上側内面２ａにより阻止され、境界ブロック１Ｅの軸方向Ｘ−Ｘの水平方向への伸びは突条３０と溝条３１で形成された凹凸の面における上方に向かう隙間３２により阻止される。
【０１３８】
また、舗装材４を符号４ｂ′の位置まで打設した場合において、境界ブロック１Ｅと舗装材４の表面４ｂ′との交差部（交点部）３３に種子が飛来して、その種子の根が境界ブロック１Ｅと舗装材４との隙間３４を通って下方へ伸びた場合には、その根が突条３０の下端頂部、すなわち境界ブロック１Ｅの壁面１ａと舗装材４との境界部（交差部）における舗装材４上まで伸びる。しかし、その後は、前記と同様に、上方へ傾斜する上側内面２ａによって根の上方への伸びが阻止され、また、突条３０と溝条３１により前記境界部の舗装材上面が水平方向において凹凸状に形成されているため、根の水平方向への伸びが阻止される。したがって、防草作用が一層確実に行える。
【０１３９】
また、舗装の際に残存した草の根が発芽した場合には、その芽は上方へ傾斜した隙間８を通って上方へ伸び、上端２ｅに達する。この上端２ｅに達すると、その後は、下方へ傾斜する上側内面２ａにより下方への伸びが阻止され、水平方向へ伸びようとするが、上端２ｅには水平方向において、突条３０と溝条３１からなる凹凸面が形成されているため、芽の水平方向への伸びが阻止される。したがって、根からの芽の成長が阻止されて枯れる。
【０１４０】
図１５及び図１６は第７実施例を示す。
【０１４１】
本第７実施例の境界ブロック（構造物）１Ｆは、前記第２実施例（図４及び図５）における境界ブロック１Ａに形成した両防草用凹部２Ａ，３Ａの上側内面２ａと、上端２ｅと、奥面２ｇと、下端２ｈと、下側内面２ｉの全面にわたって、境界ブロック１Ａの軸方向Ｘ−Ｘ（水平方向）において凹凸面に形成した境界ブロック１Ｆである。
【０１４２】
この凹凸面は、前記図１２乃至図１４（第６実施例）における突条３０と溝条３１と同様の形状である。この図１５及び図１６に示す突条３０と溝条３１の形状は、図より明らかであるため、その説明は省略する。また、その他の構造と施工方法（構造物の防草等の工法）は、図１２乃至図１４に示す構造と同様であるため、前記と同一部分には同一符号を付してその説明は省略する。
【０１４３】
本第７実施例において、舗装材４を図１６に示す４ｂの位置まで打設することにより、上端２ｃ部に飛来した種子及び舗装前に残存した根は、前記第２実施例（図４及び図５）で説明したように、上側内面２ａと下側内面２ｉにより成長が阻止される。更に、本第７実施例においては、突条３０と溝条３１を形成したので、前記第６実施例（図１２乃至図１４１４）と同様に、芽及び根の水平方向への伸びが阻止される。したがって、防草作用が一層確実に行える。
【０１４４】
なお、本第７実施例においても、突条３０と溝条３１を防草用凹部２Ａの全面に設けたが、上側内面２ａの前半部（開口部）、下側内面２ｉの前半部（開口部）、上端（奥部）２ｅ、下端（奥部）２ｈ部に部分的に設けるなど、所望の位置に設けてもよい。
【０１４５】
図１７及び図１８は第８実施例を示す。
【０１４６】
本第８実施例の境界ブロック（構造物）１Ｇは、前記第３実施例（図６及び図７）における境界ブロック１Ｂに形成した防草用凹部２Ｂの上側内面２ａ、奥面２ｇ、下側内面２ｉの全面にわたって、境界ブロック１Ｂの軸方向Ｘ−Ｘ（水平方向）において凹凸面に形成した境界ブロック１Ｇである。
【０１４７】
この凹凸面は、前記図１２乃至図１４（第６実施例）における突条３０と溝条３１と同様の形状である。この図１７及び図１８に示す突条３０と溝条３１の形状は図より明らかであるため、その説明は省略する。また、その他の構造と施工方法は、図６及び図７に示す構造と同様であるため、前記と同一部分には同一符号を付してその説明を省略する。
【０１４８】
本第８実施例において、舗装材４の表面を図１８の４ｂあるいは４ｂ′部に打設することにより、前記第７実施例と同様な防草作用を発揮する。
【０１４９】
図１９及び図２０は第９実施例を示す。
【０１５０】
本第９実施例の境界ブロック（構造物）１Ｈは、前記第４実施例（図８及び図９）における境界ブロック１Ｃに形成した防草用凹部２Ｃの円形状内面を、その全面にわたって、境界ブロック１Ｃの軸方向（水平方向）において凹凸面に形成したものである。
【０１５１】
この凹凸面は、前記図１２乃至図１４（第６実施例）における突条３０と溝条３１と同様の形状である。この図１９及び図２０に示す突条３０と溝条３１の形状は図より明らかであるため、その説明は省略する。また、この突条３０と溝条３１の形成位置も前記と同様に所望の位置に設けてもよい。また、その他の構造と施工方法（構造物の防草等の工法）は、図８及び図９に示す構造と同様であるため、前記と同一部分には同一符号を付してその説明を省略する。
【０１５２】
本第９実施例において、舗装材４を図２０に示すように打設することにより、前記第７実施例（図１５，１６）と同様な防草作用を発揮する。
【０１５３】
図２１及び図２２は第１０実施例を示す。
【０１５４】
本第１０実施例は、前記各実施例における防草用凹部に変えて境界ブロック（構造物）の壁面から防草板を一体に突設したものである。
【０１５５】
本第１０実施例において、境界ブロック１Ｊの一方の壁面１ａには、外側に向かって上方へ傾斜する板状の第１の防草板４０が境界ブロック本体（構造物本体）１′と一体に成形されている。また、境界ブロック１Ｊの他方の壁面１ｂにも第２の防草板４１が、前記第１の防草板４０と同様に突設されている。これら両防草板４０，４１は、前記防草用凹部と同様に、境界ブロック１Ｊの長手方向（Ｘ−Ｘ方向）の全長にわたって設けられている。
【０１５６】
更に、前記防草板４０の上面４０ａと先端部４０ｂと下面４０ｃには、境界ブロック１Ｊの軸方向、すなわち水平方向（Ｘ−Ｘ方向）に前記突条３０と溝条３１とからなる凹凸の面が形成されている。他方の防草板４１にも同様に突条３０と溝条３１が形成されている。
【０１５７】
本第１０実施例の施工（構造物の防草等の工法）においては、舗装材４を、その表面４ｂが両防草板４０，４１の上面よりも上方に、すなわち、先端部４０ｂよりも上方に位置するように打設して、両防草板４０，４１が舗装材４内に埋設されるようにし、舗装材４からなる構造物を形成する。
【０１５８】
本第１０実施例において、飛来した種子が、境界ブロック１Ｊと舗装材（構造物）４の表面４ｂとの境部（交差部）４２に付着して、この種子の根が、境界ブロック１Ｊと舗装材４との間に発生した隙間４３を通って下方へ伸びた場合には、防草板４０，４１における上方へ傾斜する上面４０ａによって根の伸びが阻止され、その草の成長が防止される。
【０１５９】
更に、防草板４０，４１に突状３０と溝条３１を形成したので、前記と同様に根の水平方向への伸びも阻止される。
【０１６０】
また、舗装前に残存していた草の根から発芽した芽は、防草板４０，４１の下面４０ｃに沿って伸びたとしても防草板４０，４１の上面４０ａによって芽の伸びが阻止され、成長が防止される。
【０１６１】
更に、突条３０と溝条３１により芽の水平方向への伸びも阻止される。
【０１６２】
したがって、本実施例においても前記と同様の防草効果を発揮する。
【０１６３】
なお、前記の凹凸の面は、防草板４０，４１における壁面１ａと交差する部分（基部）４０ｄあるいは防草板の先端部４０ｂの少なくとも一方に設けてもよい。
【０１６４】
また、前記防草板４０，４１の上面と下面を突条３０と溝条３１がない平滑面に形成してもよく、これによっても防草効果を発揮できる。
【０１６５】
図２４及び図２５は第１１実施例を示す。
【０１６６】
本実施例は、前記第１０実施例における防草板４０，４１を設けるとともに、この防草板４０，４１と同様の構造の防草板４４，４５を下向きにして設けた境界ブロック（構造物）１Ｋである。
【０１６７】
なお、防草板４０，４１，４４，４５に形成する凹凸の面は上記第１０実施例と同様に防草板の全面に形成したが、所望の部分に部分的に設けてもよい。
【０１６８】
本第１１実施例においては、前記と同様に図２５に示すように施工することにより、飛来した種子は、前記と同様の防草作用により、その根の伸びが阻止されて成長が阻止され、更に舗装前に残存する根が発芽した場合は、下向きの防草板４４，４５により前記と同様に芽の伸びが阻止される。更に、上記の根と芽の水平方向への伸びは、突条３０と溝条３１により阻止される。
【０１６９】
また、本第１１実施例の防草板４０，４４の上面と下面を突条３０と溝条３１がない平滑面に形成してもよく、これによっても防草効果を発揮できる。
【０１７０】
図２６は第１２実施例を示す。
【０１７１】
本第１２実施例は、前記の防草板の変形例で、境界ブロック１Ｌの一方の壁面１ａ側において、ブロック本体（構造物本体）の外側に向かっては上昇し、ブロック本体の内側に向かっては下降する状態で埋設された防草板５０を設けたものである。すなわち、ブロック本体（構造物本体）１′とは別部材の防草板５０をブロック本体１′に、防草板５０の一部がブロック本体１′の壁面１ａから外側へ突出し、防草板５０の他の部分がブロック本体１′内に埋設され、かつ、該防草板５０が上下方向において傾斜した状態で設けたものである。この防草板５０をブロック本体１′に固設する方法としては、ブロック本体１′の成形時に防草板５０を一体に付設してもよく、また、ブロック本体１′の成形時に嵌入溝５１を形成しておき、この嵌入溝５１に防草板５０を嵌入して備えてもよく、更に、ブロック本体１′の成形後に防草板５０を嵌合する嵌入溝５１を形成して、この嵌入溝５１内に防草板５０を嵌合するようにしてもよい。境界ブロック１Ｌの他方の壁面１ｂにも、上記防草板５０と同様の防草板５２が、上記と同様な構造で設けられている。また、この防草板５０，５２は、境界ブロック１Ｌの軸方向の全長にわたって設けられている。
【０１７２】
本第１２実施例においては、舗装材４を、その表面４ｂが防草板５０，５１の先端部５０ｃよりも上方に位置するように打設して、防草板５０，５２を舗装材４内に埋設し、舗装材４により他方の構造物を形成する。
【０１７３】
本実施例において、飛来した種が境界ブロック１Ｌと舗装材４の表面４ｂとの境部４２に付着して、この種子の根が目地５３を通って下方へ伸びた場合には、その根は、ブロック本体１′内に埋設された防草板５０，５２の上面５０ａを通って下方へ伸びるが、ブロック本体１′内に埋設された防草板５０の下側の先端部５０ｄから上方へ向かう下面５０ｂによって伸びが阻止される。
【０１７４】
また、舗装前に残存していた草の根から発芽した芽は、舗装材４内に埋設された防草板５０，５２の下面５０ｂを通って上方へ伸びるが、舗装材４内に埋設された防草板５０，５２の上側の先端部５０ｃから下方に向かう上面５０ａによって伸びが阻止される。
【０１７５】
図２７及び図２８は第１３実施例を示す。
【０１７６】
本第１３実施例は、前記図２６に示す両防草板５０，５２の全面に、前記と同様の突条３０と溝条３１を形成したものである。なお、この突条３０と溝条３１は、壁面１ａとの交差部５０ｆと上側の先端部５０ｃと下側の先端部５０ｄのみに設けてもよく、その他所望の位置に設けてもよい。
【０１７７】
その他の構造及び施工方法（構造物の防草等の工法）は前記第１２実施例と同様である。
【０１７８】
本第１３実施例においては、更に、前記根と芽の水平方向への伸びは突条３０と溝条３１により前記と同様に阻止される。したがって、草の成長が確実に防止される。
【０１７９】
図２９は第１４実施例を示す。
【０１８０】
本第１４実施例は、前記図２６に示す防草板５０の向きを、外側が下向きになるようにして設けたものである。すなわち、ブロック本体１′とは別体の防草板５０を、ブロック本体１′の壁面１ａから外側へ突出する側を外方に向かって下方に傾斜させ、壁面１ａ内に埋設される側を内方に向かって上方に傾斜させたものである。
【０１８１】
その他の構造及び施工方法（構造物の防草等の工法）は前記図２６に示す実施例と同様である。
【０１８２】
本第１４実施例においては、前記のように飛来した種子の根は、舗装材４側の防草板５０，５２の上面５０ａを通って伸びるが、舗装材４側の防草板５０，５２の下面５０ｂにより伸びが阻止され、また、前記の根からの芽は、ブロック本体１′側の防草板５０，５２の下面５０ｂを通って伸びるがブロック本体１′側の防草板５０，５２の上面５０ａにより伸びが阻止される。
【０１８３】
したがって、防草効果を発揮できる。
【０１８４】
なお、本実施例においては、舗装材４を、その表面が図２９の鎖線４ｂ″で示すように、防草板５０，５２の上面５０ａとブロック本体１′の壁面１ａとが交差する近傍に位置するように打設してもよい。
【０１８５】
図３０は第１５実施例を示す。
【０１８６】
本第１５実施例は、前記図２９に示す防草板５０，５２の全面に前記と同様の突条３０と溝条３１を形成したものである。なお、この突条３０と溝条３１は、壁面１ａとの交差部５０ｆと上側の先端部５０ｃと下側の先端部５０ｄのみに設けてもよく、その他所望の位置に部分的に設けてもよい。
【０１８７】
その他の構造及び施工方法（構造物の防草等の工法）は前記図２６，図２９に示す実施例と同様である。
【０１８８】
本第１５実施例においては、更に、前記根と芽の水平方向への伸びは突条３０と溝条３１により前記と同様に阻止される。したがって、草の成長が確実に阻止される。
【０１８９】
図３１及び図３２は第１６実施例を示す。
【０１９０】
本第１６実施例は、前記の防草板５０，５２の変形例で、横断面が中間部で折曲したＶ字形状の防草板６０，６１とし、これを、その折曲点が前記壁面１ａ（目地５３）に位置するようにしてブロック本体に固設して、境界ブロック（構造物）１Ｍとしたものである。また、防草板６０，６１の全面には，前記と同様の突条３０と溝条３１が形成されている。その他の構造と施工方法（防草方法）は前記第１２実施例と同様である。
【０１９１】
なお、前記の突条３０と溝条３１は壁面１ａとの交差部６０（Ｖ状の屈曲部）と先端部６０ｃの少なくとも一方に設けるなど所望の位置に部分的に設けてもよい。
【０１９２】
本第１６実施例において、一方の防草板６０側における境界ブロック１Ｍと舗装材４の表面４ｂとの境界部４２に飛来した種子が付着して、この種子の根が目地５３を通って下方へ伸びた場合には、その根は、ブロック本体及び舗装材４内に埋設された防草板６０の上向きの上面６０ａ（上方傾斜面）によって伸びが阻止される。そして、仮に、目地５３に存在する根の向地性も、この防草凹部２の上向きの上面６０ａに阻止されることで、雑草の繁殖を防止できる（他の例も同じ）。この目地５３に存在する根を阻止できるのが他の例と同様に特徴である。
【０１９３】
また、舗装前に残存していた草の根から発芽した芽は、上記防草板１７の下面６０ｂを通って伸びるが、上側の先端部６０ｃから下向きの上面６０ａによって伸びが阻止される。
【０１９４】
更に、前記根と芽の水平方向への伸びは，突条３０と溝条３１により阻止される。
【０１９５】
また、他方の防草板６１も上記一方の防草板６０と同様の作用，効果を発揮する。
【０１９６】
本第１６実施例の防草板６０，６１の上面と下面を突条３０と溝条３１がない平滑面に形成してもよく、これによっても防草効果を発揮できる。
【０１９７】
図３３及び図３４は第１７実施例を示す。
【０１９８】
本第１７実施例は、前記第１６実施例（図３１及び図３２）における防草板の変形例で、前記第１６実施例のＶ字状の防草板６０，６１に、これと逆向きの防草板６２，６３を一体に形成したＸ状の防草板を備えた境界ブロック（構造物）１Ｎである。
【０１９９】
また、防草板６２，６３の全面にも前記と同様の突条３０と溝条３１が形成されている。
【０２００】
その他の構造と施工方法（構造物の防草等の工法）は前記第１３実施例と同様である。
【０２０１】
なお、前記突条３０と溝条３１を前記下側の防草板６２，６３における壁面１ａとの交差部（逆Ｖ状の屈曲部）と先端部６２ｅの少なくとも一方に設けるなど所望の位置に部分的に設けてもよい。
【０２０２】
本第１７実施例においては、目地５３に入った種子の根が下方へ伸びた場合には、前記第１６実施例（図３１及び図３２）と同様に上側の防草板６０，６１により伸びが阻止され、また、舗装前に残存していた根の芽は、下向きの下側の防草板６２，６３により伸びが阻止される。
【０２０３】
更に、前記の根と芽の水平方向への伸びは、突条３０と溝条３１により阻止される。
【０２０４】
なお、本第１７実施例の防草板６０，６１，６２，６３の上面と下面を突条３０と溝条３１がない平滑面に形成してもよく、これによっても防草効果を発揮できる。
【０２０５】
図３５は第１８実施例を示す。
【０２０６】
本第１８実施例は、前記図１に示す境界ブロック１の長手方向の壁面（端面）１ｃ，１ｄに、前記第１実施例に示す形状の防草用凹部２を形成したものである。
【０２０７】
本第１８実施例においては、両境界ブロック１，１の左右の壁面（端面）１ｃ，１ｄ相互を接合して設置する際に、両境界ブロック１，１に形成した両防草用凹部２，２内にわたって、コンクリート、モルタル等の目地材７０を充填する。
【０２０８】
このように目地材７０を充填することにより、目地７１に入った種子の根が伸びた場合及び舗装前において境界ブロック１，１の下に残存した根が発芽した場合に、その根及び芽の伸びが、防草用凹部２，２によって、前記第１実施例と同様に阻止される。
【０２０９】
なお、この左右の壁面（端面）側の防草用凹部は、前記第２実施例乃至第９実施例（図４R>４乃至図２０）に示す防草用凹部２Ａ〜２Ｃ及びこれらに突条３０と溝条３１を設けた防草用凹部を用いてもよく、更には、第１０乃至第１７実施例（図２１乃至図３４）の防草板を用いてもよい。更に、前記第２実施例乃至第１７実施例の境界ブロック１Ａ〜１Ｎの左右の壁面１ｃ，１ｄに前記第２実施例乃至第９実施例に示す防草用凹部２Ａ〜２Ｄ及びこれらに突条３０と溝条３１を設けた防草用凹部を設けてもよく、更には第１０乃至第１７実施例の防草板を設けてもよい。
【０２１０】
図３６は第１９実施例を示す。
【０２１１】
本第１９実施例は、建物の基礎、壁体等のコンクリート体等からなる構造物８０と、この構造物８０の外側に打設される舗装材（構造物）４との接合面に、前記第１実施例の構造を適用したものである。
【０２１２】
すなわち、構造物８０に前記第１実施例と同様の防草用凹部２を形成し、舗装材４を前記第１実施例と同様に打設して他方の構造物を形成したものである。
【０２１３】
この第１９実施例においても、前記第１実施例と同様の防草効果を発揮する。
【０２１４】
なお、この防草用凹部２の代わりに、前記各実施例の防草用凹部や防草板や防草突部を用いてもよい。
【０２１５】
図３７は第２０実施例を示す。
【０２１６】
本第２０実施例は、舗装材相互の接合面に、前記第６実施例（図１２乃至図１４）の構造を適用したものである。
【０２１７】
すなわち、打設された一方のコンクリート製などの舗装材（一方の構造物）４に前記第６実施例と同様の防草用凹部２を形成し、他方の舗装材４Ａの材料を、上記防草用凹部２内に充填して打設し、他方の構造物４Ａを形成したものである。
【０２１８】
この第２０実施例においても、前記第６実施例と同様の作用、効果を発揮できる。
【０２１９】
なお、この防草用凹部の代わりに前記第７実施例乃至第９実施例（図１５乃至図２０）及び第１２実施例乃至第１９実施例（図２６乃至図３４）の構造を用いてもよい。
【０２２０】
図３８は第２１実施例を示す。
【０２２１】
本第２１実施例は、前記図１乃至図３に示す第１実施例における防草用凹部２，３を下向きに形成したものである。
【０２２２】
すなわち、構造物である境界ブロック１Ｐの壁面において開口する防草用凹部２Ｅ，３Ｅを設け、該防草用凹部２Ｅ，３Ｅの上側内面２ｑおよび下側内面２ｒを、奥部側に向かって下方に傾斜する面に形成したものである。
【０２２３】
その他の構造と施工方法（構造物の防草等の工法）は前記第１実施例と同様であるため、前記と同一部分には同一符号を付してその説明を省略する。
【０２２４】
本第２１実施例において、草の種子が飛来して前記隙間７において、仮に種子の根が成長しても、上向きの下側内面２ｒにより根の成長が阻止される。
【０２２５】
また、施工時に防草用凹部２Ｅよりも下に草の根が残存していた場合には、その根から発芽した芽は下向きの下側内面２ｒにより成長が阻止される。
【０２２６】
なお、舗装材（他方の構造物）４の表面４ｂは、図３８のように防草用凹部２Ｅ，３Ｅの開口上端部近傍としてもよく、また、開口上端よりも上方に位置させてもよい。
【０２２７】
図３９は第２２実施例を示す。
【０２２８】
本第２２実施例は、前記第２１実施例の境界ブロック１Ｐにおける防草用凹部２Ｅ，３Ｅの上側内面２ｑと下側内面２ｒに、前記図１２乃至図１４の第６実施例と同様な突条３０と溝条３１を設けて、水平方向に凹凸面を形成したものである。
【０２２９】
その他の構造と施工方法（構造物の防草等の工法）は前記第２１実施例と同様であるため、同一部分には同一符号を付してその説明を省略する。
【０２３０】
本第２２実施例においても、前記第２１実施例と同様の作用、効果を発揮する上に、前記第６実施例と同様に、凹凸の面によって根と芽の水平方向の延びを阻止することができる。
【０２３１】
本実施例においても舗装材４の表面４ｂは防草用凹部２Ｅ，３Ｅの開口上端部近傍としてもよく、また、開口上端よりも上方位置でもよい。
【０２３２】
図４０は第２３実施例を示す。
【０２３３】
本第２３実施例は、前記図２１乃至図２３に示す第１０実施例の防草板４０，４１を外側に向かって下方へ突出するようにしたものである。
【０２３４】
すなわち、防草板４０，４１を外側に向かって下方へ突出させるとともに、該防草板４０，４１の全面に、壁面に沿った水平方向において突条３０と溝条３１とからなる凹凸の面を前記第１０実施例と同様に形成したものである。
【０２３５】
その他の構造と施工方法（構造物の防草等の工法）は前記第１０実施例と同様である。
【０２３６】
本第２３実施例においても前記第２２実施例と同様の作用、効果を発揮できる上に、前記第１０実施例と同様に、凹凸の面によって根と芽の水平方向の伸びを阻止することができる。
【０２３７】
なお、本実施例においては舗装材４を、その表面が前記図２９と同様に防草板４０，４１の上面とブロック本体の壁面とが交差する近傍に位置するように打設してもよい。
【０２３８】
また、本第２３実施例の防草板４０，４１の上面と下面を突条３０と溝条３１がない平滑面に形成してもよく、これによっても防草効果を発揮できる。
【０２３９】
図４１は第２４実施例を示す。
【０２４０】
本第２４実施例は、前記図３１に示す第１６実施例の防草板６０，６１を下向きに使用したものであり、また、図３３に示す第１７実施例の防草板６２，６３の下半分を使用したものである。
【０２４１】
その他の構造と施工方法（構造物の防草等の工法）は前記第１６実施例（図３１）と同様である。
【０２４２】
本第２４実施例においても、前記第１６実施例、第１７実施例（図３３及び図３４）と同様の作用、効果を発揮する。
【０２４３】
本第２４実施例の防草板６０，６１の上面と下面を突条３０と溝条３１がない平滑面に形成してもよく、これによっても防草効果を発揮できる。
【０２４４】
図４２は第２５実施例を示す。
【０２４５】
本第２５実施例は、前記図３５に示す第１８実施例における防草用凹部２，３を下向きに形成したものである。
【０２４６】
その他の構造と施工方法は前記第１８実施例と同様である。
【０２４７】
本第２５実施例においても前記第１８実施例と同様の作用、効果を発揮する。
【０２４８】
図４３は第２６実施例を示す。
【０２４９】
本第２６実施例は、前記図３７に示す第２０実施例の防草用凹部２を下向きに形成したものである。
【０２５０】
その他の構造と施工方法（構造物の防草等の工法）は前記第２０実施例と同様である。
【０２５１】
本第２６実施例においても、前記第２０実施例と同様の作用、効果を発揮する。
【０２５２】
また、前記防草用凹部を下向きに形成した図３８，図３９，図４２，図４３の実施例においては、該防草用凹部への充填材の充填が良好に行える。
【０２５３】
本第２６実施例の防草凹部２の内面を、突条３０と溝条３１がない平滑面にしてもよい。これによっても防草効果を発揮できる。
【０２５４】
図４４および図４５は第２７実施例を示す。
【０２５５】
本第２７実施例は、前記図２４および図２５に示す第１１実施例における防草板４０，４４および４１，４５の変形例で、壁面１ａにおいて、上面８０を外方に向かって上方へ傾斜する傾斜面とし、下面８１を外方に向かって下方へ傾斜する傾斜面とした防草突部８２，８３を突設し、更に、該防草突部８２，８３の上下面に、壁面に沿った水平方向において突条３０と溝３１からなる凹凸の面を形成した境界ブロック１Ｑである。
【０２５６】
その他の構造および施工方法（構造物の防草等の工法）は前記第１１実施例と同様である。
【０２５７】
本第２７実施例においても前記第１１実施例と同様の作用、効果を発揮する。
【０２５８】
なお、本第２７実施例において、前記上面８０と下面８１を、突条３０と溝条３１がない傾斜した平滑面に形成してもよい。この傾斜面のみでも、根の下方への伸びと芽の上方への伸びを防止することができる。
【０２５９】
なお、前記各実施例における施工は、構造物の施工方法でもあり、また、構造物の防草等の工法でもある。
【０２６０】
また、以下他の例を説明する。本第２８実施例の図４６は建物１Ｒ（一方の構造物）と他方の構造物である舗装材４（他方の構造物）との間に、防草凹部２Ａを形成し、この防草凹部２Ａに、目地材70を充填するか、又は打設して他方の構造物である舗装材４を充填する。そして、他の構造、効果などに前述の各例が準用できる。尚、目地材７０は、建物１Ｒと他方の構造物である舗装材４との隙間から注入し、防草凹部２Ａに充填するとともに、この目地材７０が他方の構造物である舗装材４に隙間なく設置される構造が理想である。
【０２６１】
本第２９実施例の図４７は既設コンクリート構築物１Ｓ（一方の構造物）と他方の構造物である舗装材４（他方の構造物）との間に、防草凹部２Ａを形成し、この防草凹部２Ａに、目地材70を充填するか、又は打設して他方の構造物である舗装材４を充填する。そして、他の構造、効果などに前述の各例が準用できる。この構造は、道路、屋上、土間、テラスなどに採用できる。
【０２６２】
本第３０実施例の図４８はU字溝ブロック１Т（一方の構造物）と他方の構造物である舗装材４（他方の構造物）との間に、防草凹部２Ａを形成し、この防草凹部２Ａに、目地材70を充填するか、又は打設して他方の構造物である舗装材４を充填する。そして、他の構造、効果などに前述の各例が準用できる。
【０２６３】
本第３１実施例の図４９は大型の水路ブロック１Т’（一方の構造物）と他方の構造物である舗装材４（他方の構造物）との間に、防草凹部２Ａを形成し、この防草凹部２Ａに、目地材70を充填するか、又は打設して他方の構造物である舗装材４を充填する。そして、他の構造、効果などに前述の各例が準用できる。そして、この例では、防草凹部２Ａを数条設けることが望ましい。
【０２６４】
本第３２実施例の図５０は大型のウオール壁１Ｕ（一方の構造物）と他方の構造物である舗装材４（他方の構造物）との間に、防草凹部２Ａを形成し、この防草凹部２Ａに、目地材70を充填するか、又は打設して他方の構造物である舗装材４を充填する。そして、他の構造、効果などに前述の各例が準用できる。そして、この例では、防草凹部２Ａを数条設けることが望ましい。
【０２６５】
本第３３実施例の図５１はポール１Ｖ（一方の構造物）と他方の構造物である舗装材４（他方の構造物）との間に、環状の防草凹部２Ｆを形成する。そして、この防草凹部２Ｆは、ポール１Ｖに設けたスカート部１V１の近傍に充填した目地材70か、又は打設して他方の構造物である舗装材４に形成される。そして、他の構造、効果などに前述の各例が準用できる。尚、この環状の目地材70は、ポール１Ｖに設ける。
【０２６６】
本第３４実施例の図５２は各種のブロック１Ｗ（一方の構造物）と他方のブロック１Ｗ１（他方の構造物）との間に、防草凹部２Ａを形成し、この防草凹部２Ａに、目地材70を充填するか、又は各他方のブロック１Ｗ１の突起１Ｗ２を貫入（充填）する。そして、他の構造、効果などに前述の各例が準用できる。
【０２６７】
本発明は、以上で具体的に説明した境界ブロックと舗装材との接合部、建物及び/又はその基礎、壁と舗装材との接合部、舗装材相互の接合部の防草等を意図した構造物の構造および構造物の防草等の工法に限るものではなく、雑草が根付く可能性がある全ての構造物（構築物も含む）相互の接合部に適用できるものである。図示しない、各種のブロックである、例えば、Ｕ字側溝、Ｌ形側溝、草止めエプロンブロック、縁石境界ブロック、境界部材等にも適用できる。
【０２６８】
更に本発明は、コンクリート製品（コンクリート体）に限るものではなく、樹脂入りコンクリート製品などにも適用できる。
【０２６９】
尚、前記各実施例における防草用凹部は現場においてカッター等で形成してもよく、また、前記防草用板は、工場において一方の構造物に一体成形で固着してもよく、または工場或いは現場において、一方の構造物に嵌入溝を形成しておき、現場でこの嵌入溝に嵌合設置してもよい。
【図面の簡単な説明】
【０２７０】
【図１】本発明の第１実施例を示す境界ブロックの側面図。
【図２】図１におけるＡ−Ａ線で切断した斜視図。
【図３】図１及び図２の境界ブロックを用いて舗装した例を示す断面図。
【図４】本発明の第２実施例を示す境界ブロックの斜視図。
【図５】図４に示す境界ブロックを用いて舗装した例を示す断面図。
【図６】本発明の第３実施例を示す境界ブロックの斜視図。
【図７】図６に示す境界ブロックを用いて舗装した例を示す断面図。
【図８】本発明の第４実施例を示す境界ブロックの斜視図。
【図９】図８に示す境界ブロックを用いて舗装した例を示す断面図。
【図１０】本発明の第５実施例を示す境界ブロックの斜視図。
【図１１】図１０に示す境界ブロックを用いて舗装した例を示す断面図。
【図１２】本発明の第６実施例を示す境界ブロックの斜視図。
【図１３】図１２に示す境界ブロックを用いて舗装した例を示す断面図。
【図１４】図１３における防草用凹部のＢ−Ｂ線拡大断面図。
【図１５】本発明の第７実施例を示す境界ブロックの斜視図。
【図１６】図１５に示す境界ブロックを用いて舗装した例を示す断面図。
【図１７】本発明の第８実施例を示す境界ブロックの斜視図。
【図１８】図１７に示す境界ブロックを用いて舗装した例を示す断面図。
【図１９】本発明の第９実施例を示す境界ブロックの斜視図。
【図２０】図１９に示す境界ブロックを用いて舗装した例を示す断面図。
【図２１】本発明の第１０実施例を示す境界ブロックの斜視図。
【図２２】図２１に示す境界ブロックを用いて舗装した例を示す断面図。
【図２３】図２２の防草板部の側断面図。
【図２４】本発明の第１１実施例を示す境界ブロックの斜視図。
【図２５】図２４に示す境界ブロックを用いて舗装した例を示す断面図。
【図２６】本発明の第１２実施例を示す断面図。
【図２７】本発明の第１３実施例を示す断面図。
【図２８】図２７に示す防草板の断面斜視図。
【図２９】本発明の第１４実施例を示す断面図。
【図３０】本発明の第１５実施例を示す断面図。
【図３１】本発明の第１６実施例を示す断面図。
【図３２】図３１に示す防草板の断面斜視図。
【図３３】本発明の第１７実施例を示す一部破断した側面図。
【図３４】図３３に示す防草板の断面斜視図。
【図３５】本発明の第１８実施例を示す要部断面図。
【図３６】本発明の第１９実施例を示す要部断面図。
【図３７】本発明の第２０実施例を示す要部断面図。
【図３８】本発明の第２１実施例を示す断面図。
【図３９】本発明の第２２実施例を示す断面図。
【図４０】本発明の第２３実施例を示す断面図。
【図４１】本発明の第２４実施例を示す断面図。
【図４２】本発明の第２５実施例を示す断面図。
【図４３】本発明の第２６実施例を示す断面図。
【図４４】本発明の第２７実施例を示す断面斜視図。
【図４５】図４４に示す実施例の断面図。
【図４６】本発明の第２８実施例の断面図。
【図４７】本発明の第２９実施例の断面図。
【図４８】本発明の第３０実施例の断面図。
【図４９】本発明の第３１実施例の断面図。
【図５０】本発明の第３２実施例の断面図。
【図５１】本発明の第３３実施例であって、（イ）は側面図、（ロ）はこの（イ）の要部拡大断面図。
【図５２】本発明の第３４実施例の断面図。
【図５３】第１の従来構造を示すもので、（イ）は断面図、（ロ）は要部拡大断面図。
【図５４】第２の従来構造を示すもので、（イ）は断面図、（ロ）は他の第２の従来構造を示す断面図。
【符号の説明】
【０２７１】
１，１Ａ〜１Ｗ 一方の構造物であるコンクリート体（境界ブロック）
２，２Ａ〜２F 防草用凹部
２ａ，２ｊ 上側内面
２ｂ 開口部の上端
２ｄ，２ｉ，２ｋ 下側内面
２ｅ 奥部の上端
２ｆ 開口部の下端
４ 他方の構造物である舗装材
４ａ 充填された部分
３０ 突条
３１ 溝条
４０，５０，６０ 防草板
５１ 嵌入溝
８２，８３ 防草突部
【図１】
0003698265.tif 000002
【図２】
0003698265.tif 000003
【図３】
0003698265.tif 000004
【図４】
0003698265.tif 000005
【図５】
0003698265.tif 000006
【図６】
0003698265.tif 000007
【図７】
0003698265.tif 000008
【図８】
0003698265.tif 000009
【図９】
0003698265.tif 000010
【図１０】
0003698265.tif 000011
【図１１】
0003698265.tif 000012
【図１２】
0003698265.tif 000013
【図１３】
0003698265.tif 000014
【図１４】
0003698265.tif 000015
【図１５】
0003698265.tif 000016
【図１６】
0003698265.tif 000017
【図１７】
0003698265.tif 000018
【図１８】
0003698265.tif 000019
【図１９】
0003698265.tif 000020
【図２０】
0003698265.tif 000021
【図２１】
0003698265.tif 000022
【図２２】
0003698265.tif 000023
【図２３】
0003698265.tif 000024
【図２４】
0003698265.tif 000025
【図２５】
0003698265.tif 000026
【図２６】
0003698265.tif 000027
【図２７】
0003698265.tif 000028
【図２８】
0003698265.tif 000029
【図２９】
0003698265.tif 000030
【図３０】
0003698265.tif 000031
【図３１】
0003698265.tif 000032
【図３２】
0003698265.tif 000033
【図３３】
0003698265.tif 000034
【図３４】
0003698265.tif 000035
【図３５】
0003698265.tif 000036
【図３６】
0003698265.tif 000037
【図３７】
0003698265.tif 000038
【図３８】
0003698265.tif 000039
【図３９】
0003698265.tif 000040
【図４０】
0003698265.tif 000041
【図４１】
0003698265.tif 000042
【図４２】
0003698265.tif 000043
【図４３】
0003698265.tif 000044
【図４４】
0003698265.tif 000045
【図４５】
0003698265.tif 000046
【図４６】
0003698265.tif 000047
【図４７】
0003698265.tif 000048
【図４８】
0003698265.tif 000049
【図４９】
0003698265.tif 000050
【図５０】
0003698265.tif 000051
【図５１】
0003698265.tif 000052
【図５２】
0003698265.tif 000053
【図５３】
0003698265.tif 000054
【図５４】
0003698265.tif 000055